(57)【要約】【課題】表皮材を皺なく芯材に容易に取り付けられるようにする。また、表皮材の端末を隠す別部材を不要にする。【解決手段】芯材３と該芯材３の表側を覆う表皮材４とを少なくとも備える座または背凭れ等の椅子の構造物２において、芯材３の表側３ｃまたは裏側３ｂに芯材３を折り曲げ可能にする折曲部７を備え、芯材３に表皮材４を張ってから表皮材４ごと芯材３を折り曲げて構造物の最終的な形状に変形させるようにしている。【選択図】        図１
2004344399.tif 000002
【特許請求の範囲】
【請求項１】
芯材と該芯材の表側を覆う表皮材とを少なくとも備える座または背凭れ等の椅子の構造物において、前記芯材の表側または裏側に前記芯材を折り曲げ可能にする折曲部を有することを特徴とする椅子の構造物。
【請求項２】
前記芯材の側端面に前記表皮材の端末が入れ込まれて固定される取付溝を備えることを特徴とする請求項１記載の椅子の構造物。
【請求項３】
前記構造物は前垂れ部および座部を有する座であると共に、前記折曲部は前記前垂れ部と前記座部との間の曲部の裏側に左右方向を長手方向とした溝により形成され、尚かつ前記折曲溝で表側を外側にして折り曲げて前記曲部を曲面状にして成ることを特徴とする請求項１または２記載の椅子の構造物。
【請求項４】
前記前垂れ部の裏側に設けられると共に、前記構造物が取り付けられる支持フレームに係止可能なフックを備えることを特徴とする請求項３記載の椅子の構造物。
【請求項５】
前記構造物は背凭れであると共に、前記折曲部は中央部分の表側に左右方向を長手方向として形成され、尚かつ前記折曲部で表側を外側にして二つ折りにして成ることを特徴とする請求項１または２記載の椅子の構造物。
【請求項６】
請求項２記載の椅子の構造物を支持フレームに組み付ける椅子の構造物の組み付け方法において、前記表皮材を前記芯材に取り付け、前記構造物を前記折曲部で折り曲げて前記支持フレームに組み付けることを特徴とする椅子の構造物の組み付け方法。
【請求項７】
請求項４記載の椅子の構造物を支持フレームに組み付ける椅子の構造物の組み付け方法において、前記フックを前記支持フレームに係止して、前記曲部を折り曲げながら前記座部を前記支持フレームに組み付けることを特徴とする椅子の構造物の組み付け方法。
【発明の詳細な説明】
【０００１】
【発明の属する技術分野】
本発明は、座や背凭れなどの椅子の構造物およびその支持フレームへの組み付け方法に関する。さらに詳述すると、本発明は、表皮材の芯材への取り付け構造を改良した椅子の構造物およびその組み付け方法に関する。
【０００２】
【従来の技術】
図１０に示すように、脚を構成するパイプフレーム１０１に座１０２が直接取り付けられる椅子１０３が知られている。座１０２は、図１１に示すように、形状が変わらない板材から成る芯材１０４と、芯材１０４に載せられるクッション１０５と、クッション１０５を覆って芯材１０４の外側から裏側に回り込んでタッカ（ステープル）１０６により止着される表皮材１０７とを備えている。座１０２は、パイプフレーム１０１に溶接された受け金具１０８の上に載置されてねじ止めされる。
【０００３】
この座１０２では、表皮材１０７の端末１０７ａを芯材１０４の裏側でタッカ止めしているので、端末１０７ａがほつれたり切断面が見えたりして美観を損ねてしまう。このため、この端末１０７ａを覆い隠す裏板や布地や被覆部材などの別部材１０９を芯材１０４の裏側に取り付けるようにしている（特開２００１−９５６５２参照）。
【０００４】
【特許文献１】
特開２００１−９５６５２
【０００５】
【発明が解決しようとする課題】
しかしながら、上述した座１０２では、表皮材１０７の止め付けにタッカ１０６を使用しているので、製造時の自動化が困難であると共に、座１０２を分別廃棄する際に１本ずつ抜かなければならず分別作業が煩雑になってしまう。また、表皮材１０７の端末１０７ａを隠すために別部材１０９を使用しているので、取り付けのための工数を要してしまうと共に部品点数が多くなってしまう。
【０００６】
さらに、芯材１０４の形状が変わらないので、図１０に示すように座１０２が前垂れ部１１０を有している場合は、表皮材１０７を前垂れ部１１０の形状に合わせて張らなければならず、皺が生じ易いことから取り付け作業が困難である。
【０００７】
また、一部が湾曲した状態の芯材１０４にクッション１０５や表皮材１０７を取り付ける必要があり、これに応じたプレス台を用意する必要がある。
【０００８】
そこで、本発明は、表皮材を芯材に容易に取り付けられると共に端末を隠す別部材を不要にできる椅子の構造物およびその組み付け方法を提供することを目的とする。
【０００９】
【課題を解決するための手段】
かかる目的を達成するため、請求項１記載の発明は、芯材と該芯材の表側を覆う表皮材とを少なくとも備える座または背凭れ等の椅子の構造物において、芯材の表側または裏側に芯材を折り曲げ可能にする折曲部を有するようにしている。
【００１０】
したがって、芯材に表皮材を張ってから表皮材ごと芯材を折り曲げて構造物の最終的な形状に変形することができる。これにより、折り曲げる前の真っ直ぐな状態の芯材に表皮材を取り付けることができるので、表皮材を容易に皺無く張ることができるようになる。しかも、表皮材を張ってから芯材を折り曲げることにより、所望の構造物形状を得るようにしているので、表皮材に更に張りを出すことができる。
【００１１】
また、請求項２記載の発明は、芯材の側端面に表皮材の端末が入れ込まれて固定される取付溝を備えるようにしている。
【００１２】
この場合、取付溝に表皮材の端末を入れ込んで隠すことができるので、表皮材の端末を隠すための別部材を不要にできる。また、タッカを使用する必要が無いので、製造時の自動化が容易になると共に廃棄時の分別作業を不要にできる。しかも、取付溝が芯材の側端面に形成されているので、構造物の表面および裏面の見栄えを損ねることが無く、これらの面を意匠面として利用することができる。
【００１３】
そして、請求項３記載の発明は、請求項１または２記載の椅子の構造物において、構造物は前垂れ部および座部を有する座であると共に、折曲部は前垂れ部と座部との間の曲部の裏側に左右方向を長手方向とした溝により形成され、尚かつ折曲溝で表側を外側にして折り曲げて曲部を曲面状にして成るようにしている。
【００１４】
したがって、真っ直ぐな状態の芯材に表皮材を張ってから芯材を折り曲げて前垂れ部を形成することができるので、表皮材に皺ができないよう芯材に張る作業を容易に行うことができる。
【００１５】
ここで、請求項４記載の発明は、請求項３記載の椅子の構造物において、前垂れ部の裏側に設けられると共に、構造物が取り付けられる支持フレームに係止可能なフックを備えるようにしている。
【００１６】
したがって、構造物を支持フレームに固定する構造を簡易化することができる。また、表皮材を張った真っ直ぐな構造物のフックを支持フレームに係止し、そのまま構造物を曲げて前垂れ部を形成するようにできるので、構造物を折り曲げ作業および支持フレームへの組み付け作業を同時に容易に行うことができるようになる。
【００１７】
また、請求項５記載の発明は、請求項１または２記載の椅子の構造物において、構造物は背凭れであると共に、折曲部は中央部分の表側に左右方向を長手方向として形成され、尚かつ折曲部で表側を外側にして二つ折りにして成るようにしている。
【００１８】
したがって、二つ折りした後の構造物の表面および裏面の両方に表皮材が露出するようになるので、見栄えを良くすることができる。
【００１９】
一方、請求項６記載の発明は、請求項２記載の椅子の構造物を支持フレームに組み付ける椅子の構造物の組み付け方法において、表皮材を芯材に取り付け、構造物を折曲部で折り曲げて支持フレームに組み付けるようにしている。
【００２０】
したがって、真っ直ぐな状態の芯材に表皮材を取り付けることができるので、表皮材に皺ができないよう芯材に張る作業を容易に行うことができるようになる。しかも、表皮材を張ってから折り曲げることにより、表皮材に張りを出すことができる。
【００２１】
また、請求項７記載の発明は、請求項４記載の椅子の構造物を支持フレームに組み付ける椅子の構造物の組み付け方法において、フックを支持フレームに係止して、曲部を折り曲げながら座部を支持フレームに組み付けるようにしている。
【００２２】
したがって、表皮材を張った真っ直ぐな構造物のフックを支持フレームに係止し、そのまま構造物を曲げて前垂れ部を形成するようにできるので、構造物を折り曲げ作業および支持フレームへの組み付け作業を同時に容易に行うことができるようになる。
【００２３】
【発明の実施の形態】
以下、本発明の構成を図面に示す最良の形態に基づいて詳細に説明する。
【００２４】
図１〜図５に、本発明の椅子の構造物の実施形態の一例を示す。この椅子１の構造物２は、芯材３と該芯材３の表側を覆う表皮材４とを少なくとも備える座または背凭れ、肘掛け、ヘッドレスト等である。そして、構造物２は、芯材３の側端面（木端面）に形成されると共に表皮材４の端末が入れ込まれて固定される取付溝５を備えるようにしている。この取付溝５に表皮材４の端末を入れ込んで隠すことができるので、表皮材４の端末を隠すための別部材を不要にできる。
【００２５】
表皮材４の端末は全周に亘って折り返されて芯材３の側端面の取付溝５に嵌め込まれている。さらに、表皮材４の端末は取付溝５の内部にホットメルト接着により固着されている。ここで使用する接着剤としては例えば熱可塑性の樹脂としている。また、この構造物２は、芯材３と表皮材４との間にクッション６を有している。本実施形態では、芯材３はポリプロピレン、表皮材４はポリエステル、クッション６はポリウレタンからそれぞれ成るものとしている。ただし、各部材の材質としてはこれらに限られないのは勿論である。
【００２６】
また、この椅子１の構造物２は、芯材３の表側または裏側に芯材３を折り曲げ可能にする折曲部７を有している。本実施形態の場合、折曲部７は直線の溝を心材３に形成することで構成されており、この溝の周辺部位で芯材３を折り曲げ可能としている。
【００２７】
本実施形態では、構造物２は前垂れ部８および座部９を有する座である。そして、折曲部７は前垂れ部８と座部９との間の曲部１０の裏側に左右方向を長手方向として形成されている複数本の溝によって構成されている。折曲部７を構成する溝は、折り曲げ方向に開いた三角形状を成し、芯材３を部分的に薄肉部としている。この場合、裏面３ｂ側へ折り曲げたときに溝が閉じてそれ以上の変形を防ぐので所望の形状に曲げられる。ここで、溝の形状は特に三角形に限られず、矩形でも台形でも半円形でも良いが、折り曲げたきの形を一定に保ちながら折り曲げ可能とするには三角形状、中でも二等辺三角形状の溝であることが好ましい。さらに、構造物２は、折曲溝７で表側を外側にして折り曲げて曲部１０を曲面状にして成るようにしている。
【００２８】
さらに、前垂れ部８の裏側にはフック１１が設けられている。このフック１１は、構造物２が取り付けられる支持フレーム１２の一部、例えば本実施形態では、図３および図４に示すように、椅子１の前部の上部にある左右方向の前支持フレーム１３に係止するようにしている。
【００２９】
上述した構造物２を椅子１の支持フレーム１２に組み付ける手順を以下に説明する。
【００３０】
この構造物２の支持フレーム１２への組み付けは、予め表皮材４をクッション材６をくるむように展開された芯材３に取り付けた後に、芯材３の先端側のフック１１を前支持フレーム１３に引っ掛けて折曲部７で折り曲げながら芯材３を支持フレーム１２の座受け部分１２ｓに沿って配置し、受け金具１４を利用して支持フレーム１２に組み付けるようにしている。すなわち、折り曲げる前の真っ直ぐな状態の芯材３にクッション６を乗せ、その上から表皮材４で包み込む。そして、この表皮材４の端末を芯材３の側端面の取付溝５に嵌め込んで接着剤で固着する。このため、平坦なプレス台を使うことが可能なので、専用装置が不要になり、コストダウンができる。尚、表皮材４の端末の先端が取付溝５から出た場合は必要に応じて切断しても良い。
【００３１】
また、表皮材４を取付溝５に入れ込む際には、クッション６を適度に潰しながら入れるようにする。これにより、取付後の表皮材４に張りを持たせることができる。
【００３２】
そして、構造物２は支持フレーム１２に組み付けられる際に、折曲部７で折り曲げられて曲部（前垂れ部）１０を形成する。このため、折り曲げる前の真っ直ぐな状態の芯材３に表皮材４を張ってから芯材３を折り曲げているので、表皮材４に皺ができないよう芯材３に張る作業を容易に行うことができるようになる。
【００３３】
また、構造物２を支持フレーム１２に組み付ける際には、折り曲げる前の真っ直ぐな状態の構造物２のフック１１を前支持フレーム１３に係止し（図３中実線、図４中一点鎖線で示す）、その状態で折曲部７で折り曲げて曲部１０を形成する（図３および図４中二点鎖線で示す）。さらに、座部９を支持フレーム１２の受け金具１４にねじ部材１７によりねじ止めする。これにより、構造物２の変形・加工と支持フレーム１２への組み付けを同時に行うことができるので、作業性を高めることができる。
【００３４】
ここで、受け金具１４は図５に示すように支持フレーム１２の座受け部分１２ｓの下面側に固定されている。このため、受け金具１４に乗せた構造物２の少なくとも芯材３の側端面３ａが支持フレーム１２により隠される。よって、両側の取付溝５を支持フレーム１２の座受け部分１２ｓで隠すことができるので、見栄えを更に良くすることができる。また、構造物２の前端の芯材３の取付溝５並びに表皮材４の端末は下向きに配置されるので、正面側には露呈しない。
【００３５】
なお、上述の実施形態は本発明の好適な実施の一例ではあるがこれに限定されるものではなく本発明の要旨を逸脱しない範囲において種々変形実施可能である。例えば、上述した実施形態では、折曲部７を構成する溝を曲部１０の裏側（裏面３ｂ側）に形成しているが、これには限られず曲部１０の表側（表面側）に形成しても良い。そして、上述した実施形態では、構造物２は前垂れ部８を有しているため曲部１０に折曲部７を有しているが、これには限られず例えば構造物２の後部が折り曲げられる形状であれば後部に折曲部７を有するようにしても良い。また、場合によっては、構造物の両側あるいは少なくとも１側に曲面部分を有しているものにも適用できる。
【００３６】
さらに、上述した実施形態では、表皮材４を取付溝５に熱可塑性の接着剤により固着しているが、これには限られず各種の接着剤を使用することができる。また、上述した実施形態では表皮材４を取付溝５に接着剤により固着しているが、これには限られず各種の固着方法を適用することができる。例えば図７に示すように取付溝５に嵌合して固定される固定部材１５と取付溝５との間に表皮材４を挟み込んで固定するようにしても良い。また、図８に示すように表皮材４の端末に環状の芯材１６を縫合などにより取り付けて、この芯材１６を取付溝５に入れ込むようにしても良い。あるいは、図示していないが超音波ウエルダを用いて表皮材４を取付溝５に入れた状態で超音波を照射して取付溝５を溶かして表皮材４を固着するようにしても良い。更には、ゴムなどを利用して摩擦で表皮材４の端末を取付溝５に嵌め込んだ状態で固定するようにしても良い。
【００３７】
また、上述した実施形態では、構造物２は座としているが、これには限られず背凭れとしても良い。この場合、例えば図９に示すように、折曲部７を芯材３の中央部分の表側３ｃに左右方向を長手方向として形成することにより（同図（Ａ））、構造物２を折曲部７で表側３ｃを外側にして二つ折りにできるようにする（同図（Ｂ））。ここで、折曲部７は１本の溝で構成され、プラスチック製の芯材３を樹脂ヒンジとして機能させる。これによれば、二つ折りした後の構造物２は、その表面および裏面の両方に表皮材４が露出するようになるので、見栄えを良くすることができる。また、構造物２が背凭れであるときに、例えば上部に曲部を有する形状である場合は、その部分の芯材３に折曲部７を形成して折り曲げて曲部を形成するようにしても良い。
【００３８】
さらに、上述した実施形態では構造物２を座や背凭れとしているが、これには限られず、肘掛けや足置き等の椅子１の各種の構造物２に適用することもできる。また、椅子としても図示のようなパイプ脚から成る固定椅子に限られず、折り畳み椅子やカンチレバータイプの椅子、回転椅子、更には自動車用座席や飛行機用座席などの他、座椅子等のあらゆる椅子の構造物に適用可能である。
【００３９】
また、上述した実施形態では表皮材４の端末が芯材３の側面（木端）３ａに嵌め込まれて止着されているので、表皮材４のある方を表面として使用しているが、表皮材４の無い方の芯材３の裏面３ｂもまた表皮材４の端末が露出しないので表面として使用するようにしても良い。この場合、芯材３の裏面３ｂを隠す部材も必要なければ、そのまま表面としても使えるので構造物２をリバーシブルに使用することができる。
【００４０】
一方、上述した実施形態では構造物２は溝から成る折曲部７を備えているが、これには限られない。例えば、薄肉部やスリット等によって屈曲可能な折曲部７を構成しても良い。また、芯材３の側面（木端）３ａに取付溝５を設けてそこに表皮材４の端末を嵌め込んで固着するようにしているが、場合によっては芯材３の裏面３ｂ側に取付溝５を設けてそこに表皮材４の端末を嵌め込むようにしても良い。更に、上述した実施形態では、構造物２は取付溝５を備えてそこに表皮材４の端末を入れ込んで固着するようにしているが、場合によっては、展開状態の芯材３に表皮材４を接着材、タッカ、電磁溶着などの止着方法によって止め付けて、その後に芯材３を折曲部７で折り曲げるようにして表皮材４を張るようにしても良い。
【００４１】
また、構造物２をリバーシブルに使用可能とすることにのみ着目すれば、表皮材４の端末を嵌め込んで芯材３に固着する取付溝５を芯材３の側面（木端）３ａに設ければ足りる。この場合には、芯材の側面の取付溝５部分がフレームに隠されると共に、芯材３の裏面３ｂも表皮材４の端末が露出しないので、芯材３の裏面３ｂを隠す部材も必要なければ、そのまま表面としても使える。したがって、予め前垂れ部のような曲部１０が射出成形などによって形成されているような芯材を用いる場合にも、表皮材４の端末処理に伴う問題を解決することができる。
【００４２】
【発明の効果】
以上の説明より明らかなように、請求項１記載の椅子の構造物によれば、折り曲げる前の展開状態の芯材に表皮材を取り付けてから芯材を折曲部に沿って折り曲げると同時に表皮材４を張ることができるので、表皮材を容易に皺無く張ることができるようになり、作業性を高めることができる。しかも、表皮材を張って取り付けた状態から更に折り曲げて張力を付与できるので、表皮材により強い張りを出すことができる。また、表皮材４の取付時に平坦なプレス台を用いることができるので、曲部を有した座部の製造に曲部を有していない他の座部と同じ装置を用いることができ、コストダウンが図られる。
【００４３】
また、請求項２記載の椅子の構造物によれば、取付溝に表皮材の端末を入れ込んで隠すことができるので、表皮材の端末を隠すための別部材を不要にできる。よって、構造物の部品点数および製造工程を減らすことができる。また、タッカを使用する必要が無いので、製造時の自動化が容易になると共に廃棄時の分別作業を不要にできる。しかも、取付溝が芯材の側端面に形成されているので、構造物の表面および裏面の見栄えを損ねることが無く、これらの面を意匠面として利用することができる。
【００４４】
そして、請求項３記載の椅子の構造物によれば、真っ直ぐな状態の芯材に表皮材を張ってから芯材を折り曲げて前垂れ部を形成することができるので、表皮材に皺ができないよう芯材に張る作業を容易に行うことができる。
【００４５】
また、請求項４記載の椅子の構造物によれば、フックの使用により従来使用していたねじ部材を減らすことができ、構造物を支持フレームに固定する構造を簡易化することができる。また、表皮材を張った真っ直ぐな構造物のフックを支持フレームに係止し、そのまま構造物を曲げて前垂れ部を形成するようにできるので、構造物を折り曲げ作業および支持フレームへの組み付け作業を同時に容易に行うことができるようになる。
【００４６】
さらに、請求項５記載の椅子の構造物によれば、二つ折りした後の構造物の表面および裏面の両方に表皮材が露出するようになるので、見栄えを良くすることができる。
【００４７】
一方、請求項６記載の椅子の構造物の組み付け方法によれば、真っ直ぐな状態の芯材に表皮材を取り付けることができるので、表皮材に皺ができないよう芯材に張る作業を容易に行うことができるようになる。しかも、表皮材を張ってから折り曲げることにより、表皮材に張りを出すことができる。
【００４８】
また、請求項７記載の椅子の構造物の組み付け方法によれば、表皮材を張った真っ直ぐな構造物のフックを支持フレームに係止し、そのまま構造物を曲げて前垂れ部を形成するようにできるので、構造物を折り曲げ作業および支持フレームへの組み付け作業を同時に容易に行うことができるようになる。
【図面の簡単な説明】
【図１】本発明の椅子の構造物の主要部を示す中央縦断面側面図である。
【図２】椅子の構造物を示す裏側から見た斜視図である。
【図３】構造物を支持フレームに取り付ける状態を示す側面図である。
【図４】構造物を支持フレームに取り付ける状態を示す斜視図である。
【図５】構造物を支持フレームに取り付けた状態を示す縦断面側面図である。
【図６】構造物の他の実施形態を支持フレームに取り付ける状態を示す斜視図である。
【図７】構造物の別の実施形態を示す縦断面側面図である。
【図８】構造物の更に他の実施形態を示す縦断面側面図である。
【図９】構造物を背凭れとした実施形態を示す中央縦断面側面図であり、（Ａ）は折り曲げる前、（Ｂ）は折り曲げた後を示す。
【図１０】従来の構造物を支持フレームに取り付ける状態を示す斜視図である。
【図１１】従来の構造物を示す縦断面側面図である。
【符号の説明】
１  椅子
２  構造物
３  芯材
４  表皮材
５  取付溝
７  折曲部
８  前垂れ部
９  座部
１０  曲部
１１  フック
１２  支持フレーム
１３  前支持フレーム（支持フレーム）
【図１】
2004344399.tif 000003
【図２】
2004344399.tif 000004
【図３】
2004344399.tif 000005
【図４】
2004344399.tif 000006
【図５】
2004344399.tif 000007
【図６】
2004344399.tif 000008
【図７】
2004344399.tif 000009
【図８】
2004344399.tif 000010
【図９】
2004344399.tif 000011
【図１０】
2004344399.tif 000012
【図１１】
2004344399.tif 000013